(57)【要約】【課題】液晶表示パネルの駆動に関して、非表示期間に対向信号電圧を停止させ対向信号電圧センター値を直流電圧とする対向信号電圧発生回路で対向信号電圧センター電圧発生回路による回路規模や駆動電力が増加する。【解決手段】液晶表示パネル５と、液晶表示パネル５の駆動に必要なグランド電位を含む駆動電圧を供給する液晶駆動電圧発生回路１３１とを備え、液晶駆動電圧発生回路１３１から対向信号電極に供給される対向信号電圧は、有効表示期間には、交流化電圧となり、非表示期間には、直流電圧となるものであり、液晶駆動電圧発生回路１３１は、非表示期間には、（１）対向信号電極に前記直流電圧として、フリッカーセンター電圧以外の駆動電圧を供給する、（２）または前記対向信号電極に有効表示期間に供給する交流化電圧のいずれか一方の電圧を供給する。【選択図】  図１
2004184877.tif 000002
【特許請求の範囲】
【請求項１】
マトリックス状に配置された画像信号電極線及び走査信号電極線の各交点に配置された複数の画像表示素子、及び前記複数の画像表示素子に対向して配置された対向信号電極を有する液晶表示パネルと、
前記液晶表示パネルの駆動に必要な駆動電圧を供給する液晶駆動電圧発生回路とを備え、
前記液晶駆動電圧発生回路から前記対向信号電極に供給される対向信号電圧は、有効表示期間には、交流化電圧となり、非表示期間には、直流電圧となるものであり、
前記液晶駆動電圧発生回路は、前記非表示期間には、（１）前記対向信号電極に前記液晶駆動電圧発生回路内に存在するグランド電位を含む複数の安定化駆動電圧の一つを前記直流電圧として供給する、（２）または前記対向信号電極に前記有効表示期間に供給する交流化電圧のいずれか一方の電圧を前記直流電圧として供給し、
前記液晶駆動電圧発生回路には、前記非表示期間に前記対向信号電極に前記直流電圧を供給するための専用のアンプ回路が設けられていない液晶表示装置。
【請求項２】
前記液晶駆動電圧発生回路は、前記非表示期間に前記対向信号電極に前記直流電圧として、前記交流化電圧以外の駆動電圧のうちで前記フリッカーセンター電圧にもっとも近い駆動電圧を供給する請求項１記載の液晶表示装置。
【請求項３】
前記対向信号電圧は、前記有効表示期間には、最大振幅値電圧と最小振幅値電圧との電圧振幅からなる交流化電圧であり、前記非表示期間には、前記直流電圧として、Ｎフレーム（Ｎは１以上の整数）毎に前記最大振幅値電圧と前記最小振幅値電圧とが切り換えられて供給される請求項１記載の液晶表示装置。
【請求項４】
前記液晶表示パネルは、走査信号電極線を駆動するゲートドライバを有し、
前記ゲートドライバの出力には、前記対向信号電圧と同期した電圧が重畳されている請求項２または３に記載の液晶表示装置。
【請求項５】
マトリックス状に配置された画像信号電極線及び走査信号電極線の各交点に配置された複数の画像表示素子、及び前記複数の画像表示素子に対向して配置された対向信号電極を有する液晶表示パネルと、
前記液晶表示パネルの駆動に必要な駆動電圧を供給する液晶駆動電圧発生回路とを備え、
前記液晶駆動電圧発生回路から前記対向信号電極に供給される対向信号電圧は、有効表示期間には、交流化電圧となり、非表示期間には、直流電圧となる液晶表示装置を駆動する液晶表示装置の駆動方法であって、
前記液晶駆動電圧発生回路が、前記非表示期間には、（１）前記対向信号電極に前記液晶駆動電圧発生回路内に存在するグランド電位を含む複数の安定化駆動電圧の一つを前記直流電圧として供給する、（２）または前記対向信号電極に前記有効表示期間に供給する交流化電圧のいずれか一方の電圧を前記直流電圧として供給し、
前記液晶駆動電圧発生回路には、前記非表示期間に前記対向信号電極に前記直流電圧を供給するための専用のアンプ回路が設けられていない液晶表示装置の駆動方法。
【発明の詳細な説明】
【０００１】
【発明の属する技術分野】
本発明はノート型パソコンや携帯情報端末機等に用いられる情報表示用あるいはテレビモニター等の映像表示用としての液晶表示装置、及び液晶表示装置の駆動方法に関するものである。
【０００２】
【従来の技術】
近年、パソコンや携帯用電話機等の情報端末機や映像表示モニターとして軽薄短小の特徴を持つ液晶表示パネルの搭載機器が増えている。液晶表示パネルの駆動について簡単に述べる（例えば、特許文献１参照。）。
【０００３】
図４は、この従来のアクティブマトリックス型対向反転駆動方式液晶表示パネルの構成図を示すものである。ここで６は表示デ−タ信号に対応した電圧を画素に供給する画像信号電極線（Ｓ１〜Ｓｍ）であり、７は線順次走査を行うための選択走査信号を供給する走査信号電極線（Ｘ１〜Ｘｎ）であり、２は走査信号電極線７からの選択走査信号により制御されるスイッチング素子としての薄膜トランジスタ［以後、ＴＦＴと略す］であり、３は画素電極を有する表示材料としての液晶表示素子であり、４は液晶表示素子３に充電された画像電圧の低下を抑制するための蓄積容量であり、８は液晶表示素子３に基準となる電圧を供給するための対向信号電極であり、９は各画像信号電極線６に画像信号電圧を供給するソースドライバであり、１０は各走査信号電極線７に線順次走査を行うための選択走査信号を供給するゲートドライバである。
【０００４】
ソースドライバ９のロジック回路にはタイミング制御を行うためのタイミング制御信号および画像表示信号が入力され、ゲートドライバ１０のロジック回路にも同様にタイミング制御を行うためのタイミング制御信号が入力されている。
【０００５】
尚、一つの表示画素は各１個のＴＦＴ２と液晶表示素子３と蓄積容量４からなる破線で囲まれた表示画素１から形成され、多数の表示画素でアクティブマトリックス型の液晶表示パネル５が構成される。
【０００６】
画像信号電極線６および走査信号電極線７はマトリックス状に配置され、これに対してＴＦＴ２のソ−ス端子は画像信号電極線６に接続され、ゲ−ト端子は走査信号電極線７に接続され、ドレイン端子は液晶表示素子３の画素電極および蓄積容量４の一方の電極に接続され、蓄積容量４の他方の電極は対向信号電極８に接続されている。対向信号電極８には対向信号電圧（ＶＣＯＭ）が供給されており、ソースドライバ９からの画像信号電圧の駆動法の種類によって直流電圧もしくは一水平同期期間（１Ｈ）毎に極性反転させた電圧を使用する。
【０００７】
画像表示を行うには、ソースドライバ９より表示デ−タ信号に対応した画像信号電圧を各画像信号電極線６に接続された各ＴＦＴ２のソ−ス端子（Ｓ）に供給するとともに、これと同期してゲートドライバ１０より選択された走査信号電極線７を介して選択走査信号を各ＴＦＴ２のゲ−ト端子（Ｇ）に供給する。これにより、選択された走査信号電極線上の各ＴＦＴ２はー斉にオンし、ドレイン端子（Ｄ）より供給される表示デ−タ信号に対応した画像信号電圧と対向信号電極８に供給されている対向信号電圧（ＶＣＯＭ）との電位差分が最終的な画像情報の画像表示電圧として各液晶表示素子３と各蓄積容量４に蓄積される。この電圧はＴＦＴ２のオフ後もその画像情報は次の情報が書き込まれる１フィールド期間に渡って保持される。液晶表示素子３は、この蓄積電圧量に対応しての液晶分子の捻れ角が変化することにより偏光板で方向性を与えた光の透過量を制御することでコントラストの高い高品位の画像を表示することができる。
【０００８】
一方、液晶表示パネルを駆動するための基本的な表示駆動回路は図５の様なブロック回路構成となる。図において、５は液晶表示パネルであり、１１は入力電源であり、１２は画像信号処理や駆動タイミングを制御するコントローラ回路であり、１３は液晶パネル５に必要な駆動電圧を発生させる液晶駆動電圧発生回路である。
【０００９】
入力電源１１はコントローラ回路１２と液晶駆動電圧発生回路１３に供給され、まず、コントローラ回路１２が立ち上がる。そしてコントローラ回路１２はソースドライバ９に対し画像表示信号とタイミング制御信号を送り、ゲートドライバ１０に対しタイミング制御信号を送り、液晶駆動電圧発生回路１３に対しタイミング制御信号を送る。
【００１０】
液晶駆動電圧発生回路１３は図６で示されるようなソースドライバ用駆動電圧発生回路，ゲートドライバ用駆動電圧発生回路，及び対向信号電圧発生回路からなる多出力構成の回路からなる。液晶駆動電圧発生回路１３は、ソースドライバ９に対してはソースドライバ用駆動電圧（ＡＶＤＤ）を供給し，ゲートドライバ１０に対してはゲートドライバ用駆動電圧（ＶＧＧ，ＶＥＥ）を供給し，対向信号電極８に対しては対向信号電極用駆動電圧（ＶＣＯＭ）を供給することにより表示動作が可能となる。
【００１１】
液晶表示パネル５の表示例を図７に示す。例えば、表示部を表示部Ａと表示部Ｂに分けた場合、表示部Ａと表示部Ｂの両方を使った通常の全画面表示と表示部Ａのみをを使い表示部Ｂは非表示とさせた部分表示がある。
【００１２】
液晶表示パネルの駆動装置においては、特に電池駆動の携帯電話機では低消費電力化が最重要項目の一つに上げられている。通常、液晶表示パネルは線順次走査駆動されるが、低電力化の一例として表示領域以外の制御期間での駆動損失を抑制する方法がある。駆動電力の中でも対向信号駆動電力は全体に占める割合が大きいため、その抑制効果も大きい。また、フリッカーバランス品位の点からは非表示期間の対向信号電圧を通常の交流化電圧に対して直流電圧とした場合、対向振幅電圧のセンター電圧（（ＶＣＯＭＨ＋ＶＣＯＭＬ）／２））とした時が、通常の交流化電圧の時とほぼ同じ特性を得ることができる。
【００１３】
図８は対向信号駆動電力を抑制するための主なタイミング制御を示したものである。全画面表示の場合は、１フレーム（１Ｆ）期間中の有効表示期間（表示部Ａ＋表示部Ｂ）を除く垂直ブランキング期間（以下ＶＢＬＫ期間と称す），部分表示の場合は、有効表示期間（表示部Ａ）を除く非表示期間（表示部Ｂ＋ＶＢＬＫ期間）に対応したゲート選択停止信号（ＯＥＶ）および非表示制御信号（ＶＳＥＬ）で制御を行うものである。
【００１４】
ゲート選択停止信号（ＯＥＶ）はゲートドライバ１０に入力され、Ｌｏ期間はゲートドライバ１０の走査選択信号出力を停止させて液晶表示素子３への不要な画像信号電圧の書き込みをさせないように制御する。一方、非表示制御信号（ＶＳＥＬ）は液晶駆動電圧発生回路１３の対向信号電圧発生回路に入力され、Ｌｏ期間は有効表示期間の最大振幅値電圧（ＶＣＯＭＨ）と最小振幅値電圧（ＶＣＯＭＬ）の電圧振幅からなる交流化電圧を停止させ直流電圧を供給するように制御する。ここで供給する直流電圧は、電圧振幅のセンター値のフリッカーセンター電圧となる（ＶＣＯＭＨ＋ＶＣＯＭＬ）／２の電圧にする。このような制御により、全画面表示でのＶＢＬＫ期間、および部分表示での非表示部ＢとＶＢＬＫ期間に対向信号電圧を停止させ駆動電力の低消費電力化を図ることができる。
【００１５】
上記のような条件で低消費電力化を行う場合、液晶駆動電圧発生回路１３の対向信号電圧発生回路は図９に示すような回路構成にする必要がある。対向信号電圧発生回路の回路構成は最大振幅値電圧（ＶＣＯＭＨ）を増幅するアンプ回路（ＡＭＰ１）１４，最小振幅値電圧（ＶＣＯＭＬ）を増幅するアンプ回路（ＡＭＰ２）１５，これらのアンプ出力を１水平走査期間（１Ｈ）に同期して極性反転する対向制御信号（ＰＯＬ）によって交流化出力電圧にするアナログスイッチ回路（ＡＳ１）１７，フリッカーセンター電圧（（ＶＣＯＭＨ＋ＶＣＯＭＬ）／２））を作るアンプ回路（ＡＭＰ３）１６そして非表示制御信号（ＶＳＥＬ）にて非表示期間にフリッカーセンター電圧を出力させるためのアナログスイッチ回路（ＡＳ２）１８からなり、各アンプ回路やアナログスイッチ回路の駆動電源は液晶駆動電圧発生回路１３の中で作られた安定化駆動電圧のソースドライバ用駆動電圧（ＡＶＤＤ），アナログ回路駆動用負電源（ＮＶＣＣ）とグランド電位（ＧＮＤ）を利用している。
【００１６】
【特許文献１】
特開平７−１５９７５７号公報
【００１７】
【発明が解決しようとする課題】
しかしながら、非表示期間の直流電圧化やフリッカーセンター電圧（（ＶＣＯＭＨ＋ＶＣＯＭＬ）／２））を作るために専用のアンプ回路（ＡＭＰ３）１６やアナログスイッチ回路（ＡＳ２）１８が必要であり、回路増大により回路規模や消費電力が増加してしまうという課題が生じていた。
【００１８】
本発明は、上記課題を考慮し、液晶駆動電圧発生回路の回路規模の縮小と電力削減を行うことができる液晶表示装置、及び液晶表示装置の駆動方法を提供することを目的としたものである。
【００１９】
【課題を解決するための手段】
上述した課題を解決するために、第１の本発明は、マトリックス状に配置された画像信号電極線（図４の６）及び走査信号電極線（図４の７）の各交点に配置された複数の画像表示素子（図４の２、３、及び４）、及び前記複数の画像表示素子に対向して配置された対向信号電極（図４の８）とを有する液晶表示パネル（図１の５）と、
前記液晶表示パネル（図１の５）の駆動に必要な駆動電圧を供給する液晶駆動電圧発生回路（図１の１３１）とを備え、
前記液晶駆動電圧発生回路（図１の１３１）から前記対向信号電極（図４の８）に供給される対向信号電圧は、有効表示期間には、交流化電圧となり、非表示期間には、直流電圧となるものであり、
前記液晶駆動電圧発生回路（図１の１３１）は、前記非表示期間には、（１）前記対向信号電極に（図１の８）前記液晶駆動電圧発生回路（図１の１３１）内に存在するグランド電位を含む複数の安定化駆動電圧の一つを前記直流電圧として供給する、（２）または前記対向信号電極（図１の８）に前記有効表示期間に供給する交流化電圧のいずれか一方の電圧を前記直流電圧として供給し、
前記液晶駆動電圧発生回路（図１の１３１）には、前記非表示期間に前記対向信号電極（図１の８）に前記直流電圧を供給するための専用のアンプ回路が設けられていない液晶表示装置。
【００２０】
また、第２の本発明は、前記液晶駆動電圧発生回路（図１の１３１）は、前記非表示期間に前記対向信号電極（図４の８）に前記直流電圧として、前記交流化電圧以外の駆動電圧のうちで前記フリッカーセンター電圧にもっとも近い駆動電圧を供給する第１の本発明の液晶表示装置である。
【００２１】
また、第３の本発明は、前記対向信号電圧は、前記有効表示期間には、最大振幅値電圧と最小振幅値電圧との電圧振幅からなる交流化電圧であり、前記非表示期間には、前記直流電圧として、Ｎフレーム（Ｎは１以上の整数）毎に前記最大振幅値電圧と前記最小振幅値電圧とが切り換えられて供給される第１の本発明の液晶表示装置である。
【００２２】
また、第４の本発明は、前記液晶表示パネル（図１の５）は、走査信号電極線（図４の１０）を駆動するゲートドライバ（図１の１０）を有し、
前記ゲートドライバ（図１の１０）の出力には、前記対向信号電圧と同期した電圧が重畳されている第２または３の本発明の液晶表示装置である。
【００２３】
また、第５の本発明は、マトリックス状に配置された画像信号電極線及び走査信号電極線の各交点に配置された複数の画像表示素子、及び前記複数の画像表示素子に対向して配置された対向信号電極とを有する液晶表示パネルと、
前記液晶表示パネルの駆動に必要なグランド電位を含む駆動電圧を供給する液晶駆動電圧発生回路とを備え、
前記液晶駆動電圧発生回路から前記対向信号電極に供給される対向信号電圧は、有効表示期間には、交流化電圧となり、非表示期間には、直流電圧となる液晶表示装置を駆動する液晶表示装置の駆動方法であって、
前記液晶駆動電圧発生回路（図１の１３１）が、前記非表示期間には、（１）前記対向信号電極に（図１の８）前記液晶駆動電圧発生回路（図１の１３１）内に存在するグランド電位を含む複数の安定化駆動電圧の一つを前記直流電圧として供給する、（２）または前記対向信号電極（図１の８）に前記有効表示期間に供給する交流化電圧のいずれか一方の電圧を前記直流電圧として供給し、
前記液晶駆動電圧発生回路（図１の１３１）には、前記非表示期間に前記対向信号電極（図１の８）に前記直流電圧を供給するための専用のアンプ回路が設けられていない液晶表示装置の駆動方法である。
【００２４】
本発明は前記した液晶表示装置により、非表示期間時の直流電圧を液晶駆動電圧発生回路の中で作られた安定化駆動電圧等を直接使用することで液晶駆動電圧発生回路の更なる回路規模の縮小と低消費電力化を可能にするものである。
【００２５】
【発明の実施の形態】
以下に、本発明の実施の形態を図面を参照して説明する。
【００２６】
従来の技術では、対向信号電圧を非表示期間に直流電圧として低消費電力化をおこなった。このように対向信号電圧を非表示期間に直流電圧する場合、対向信号電圧を対向振幅電圧のセンター電圧（（ＶＣＯＭＨ＋ＶＣＯＭＬ）／２））すなわち、フリッカーセンター電圧にすることが理想であるが、実際には対向振幅電圧のセンター電圧に近い値であれば、最適フリッカーセンターからのズレへの影響はあまりない。本実施の形態では、この事実を利用して回路規模の増大を抑え、かつ低消費電力化をおこなった。
【００２７】
すなわち、図１は、本発明の実施の形態の低電力駆動化のための液晶パネルの駆動装置の構成を示すものである。図５の従来例との相違は液晶駆動電圧発生回路１３１の対向信号電圧発生回路における対向信号電圧出力の直流電圧化を専用アンプ回路を使わず液晶駆動電圧発生回路で作られた内部回路駆動用の安定化駆動電圧を使用する回路構成としたことである。
【００２８】
他の制御信号などについては図５の従来例と同様である。また、液晶表示パネルの構成については従来の技術で説明した図４の構成と同様である。
【００２９】
より具体的な内容を図２および図３に示す。まず、図２は第１の実施の形態であり、図２の（Ａ）は液晶駆動電圧発生回路１３１の対向信号電圧発生回路の回路構成図であり、図２の（Ｂ）は主な制御信号のタイミングチャートである。
【００３０】
対向信号電圧発生回路の回路構成は最大振幅値電圧（ＶＣＯＭＨ）を増幅するアンプ回路（ＡＭＰ１）１４，最小振幅値電圧（ＶＣＯＭＬ）を増幅するアンプ回路（ＡＭＰ２）１５，これらのアンプ出力を１水平走査期間（１Ｈ）に同期して極性反転して交流化出力電圧にする対向制御信号（ＰＯＬ）、および非表示期間に対向信号電圧の交流化を停止させる非表示制御信号（ＶＳＥＬ）で制御されるアナログスイッチ回路（ＡＳ１）１７で構成される。
【００３１】
非表示期間は非表示制御信号（ＶＳＥＬ）によりアナログスイッチ回路（ＡＳ１）１７を最大振幅値電圧（ＶＣＯＭＨ）側もしくは最小振幅値電圧（ＶＣＯＭＬ）側のどちらか一方に常時固定した直流電圧、もしくはＮフレーム（Ｎは１以上の整数）毎に最大振幅値電圧（ＶＣＯＭＨ）側と最小振幅値電圧（ＶＣＯＭＬ）側としたフレーム反転の直流電圧の供給からなる３種類の選択ができる。
【００３２】
従来構成と比べると図９で示したアンプ回路（ＡＭＰ３）１６，アナログスイッチ回路（ＡＳ２）１８は不要となる。尚、図示していないがゲートドライバ出力に対向信号電圧と同期した同レベルの電圧振幅を重畳させた駆動方式であるＳＧ（Ｓｙｎｃｒｏ−Ｇａｔｅ）駆動にあっては、重畳信号電圧を最大振幅値電圧（ＶＯＦＦＨ），最小振幅値電圧（ＶＯＦＦＬ）とすれば、上記した対向信号電圧の制御と同様に重畳信号電圧発生回路（図示せず）を対向信号電圧発生回路と同様な回路構成にすることで非表示制御信号（ＶＳＥＬ）にて対向信号電圧発生回路と同期して制御を行えばよい。
【００３３】
すなわち、ＳＧ（Ｓｙｎｃｒｏ−Ｇａｔｅ）駆動とは、次のようなものである。つまり、ゲート選択電圧の供給される走査信号電極７と対向信号電極８との間には必ず容量（Ｃｇａｔｅ−ｖｃｏｍ）が存在している。通常、走査信号電極７は、ゲート選択電圧が引加されていない期間は直流電圧が引加されているので、対向信号電極８である片側のみ交流電圧が供給される状態では、Ｃｇａｔｅ−ｖｃｏｍでの充放電損失が発生する。この損失をなくす駆動方式が上述した、ゲートドライバ１０に対向信号電圧と同期した電圧振幅を重畳させるＳＧ駆動方式である。この場合、走査信号電極７には対向信号電圧と同期した信号が重畳されるので、走査信号電極７と対向信号電極８との間の電位差は常に一定になる。従って上述したように制御することによりＣｇａｔｅ−ｖｃｏｍでの充放電を回避することが出来る。
【００３４】
次に、図３は、第２の実施の形態であり、図３の（Ａ）は液晶駆動電圧発生回路１３１の対向信号電圧発生回路の回路構成図であり、図３の（Ｂ）は主な制御信号のタイミングチャートである。対向信号電圧発生回路の回路構成は最大振幅値電圧（ＶＣＯＭＨ）を増幅するアンプ回路（ＡＭＰ１）１４，最小振幅値電圧（ＶＣＯＭＬ）を増幅するアンプ回路（ＡＭＰ２）１５，これらのアンプ出力を１水平走査期間（１Ｈ）に同期して極性反転して交流化出力電圧にする対向制御信号（ＰＯＬ）で制御されるアナログスイッチ回路（ＡＳ１）１７，非表示制御信号（ＶＳＥＬ）にて非表示期間に安定化駆動電圧（ＡＶＤＤ，ＧＮＤ，ＮＶＣＣ）を出力させるためのアナログスイッチ回路（ＡＳ２）１８で構成される。
【００３５】
非表示期間に供給される直流電圧は液晶駆動電圧発生回路１３１内で作られた安定化駆動電圧を使用する。ここでは、対向振幅電圧のセンター電圧（（ＶＣＯＭＨ＋ＶＣＯＭＬ）／２））に比較的近いグランド電位（ＧＮＤ）を含む安定化駆動電圧が対象となり、ソースドライバ用駆動電圧（ＡＶＤＤ），グランド電位（ＧＮＤ），及びアンプ回路駆動用負電圧（ＮＶＣＣ）の中から選択された電圧を非表示期間の間、アナログスイッチ回路（ＡＳ２）１８の切換で出力するものである。従来の回路構成に比べアンプ回路（ＡＭＰ３）１６が不要になる。従って、従来の回路構成に比べて回路規模の増大を抑えることができ、なおかつ低消費電力化を実現することが出来る。
【００３６】
すなわち、本実施の形態によれば、液晶駆動電圧発生回路から対向信号電極に供給する対向信号電圧に関し、非表示期間の直流電圧を液晶駆動電圧発生回路内のグランド電位を含む複数の安定化駆動電圧の中で液晶表示パネルのフリッカーセンター電圧に近い電源電圧を供給源とすることにより対向信号電圧発生回路に非表示期間中の直流電圧供給のための専用アンプ回路や専用アナログスイッチ回路を削減できるので回路規模の縮小と駆動電力の削減を可能ならしめるものであり、その効果は大なるものである。
【００３７】
【発明の効果】
以上説明したところから明らかなように、本発明は、液晶駆動電圧発生回路の回路規模の縮小と電力削減を行うことができる液晶表示装置、及び液晶表示装置の駆動方法を提供することが出来る。
【図面の簡単な説明】
【図１】本発明の実施の形態における液晶表示パネルの駆動装置の駆動制御系のブロック回路例を示す図
【図２】（Ａ）本発明の実施形態における液晶表示パネルの駆動に関する第１の実施の形態の対向信号電圧発生回路の回路構成図（Ｂ）本発明の実施の形態における液晶表示パネルの駆動に関する主な制御信号のタイミングチャート図
【図３】（Ａ）本発明の実施形態における液晶表示パネルの駆動に関する第２の実施の形態の対向信号電圧発生回路の回路構成図（Ｂ）本発明の実施の形態における液晶表示パネルの駆動に関する主な制御信号のタイミングチャート図
【図４】一般的なアモルファスＴＦＴによるアクティブ型対向反転駆動方式液晶表示パネルの構成図
【図５】従来のアクティブ型対向反転駆動方式液晶表示パネルの駆動装置における駆動制御系のブロック回路図
【図６】図５の液晶表示パネルの駆動装置に関する液晶駆動電圧発生回路の主な回路構成図
【図７】図５の液晶表示パネルの表示画面例を示す図
【図８】図７の表示モード駆動における表示制御タイミングチャート図
【図９】図６の液晶駆動電圧発生回路の中の対向信号電圧発生回路の回路構成図
【符号の説明】
１  表示画素
２  薄膜トランジスタ
３  液晶表示素子
４  蓄積容量
５  液晶表示パネル
６  画像信号電極線
７  走査信号電極線
８  対向信号電極
９  ソースドライバ
１０  ゲートドライバ
１１  入力電源
１２  コントローラ回路
１３１  液晶駆動電圧発生回路
【図１】
2004184877.tif 000003
【図２】
2004184877.tif 000004
【図３】
2004184877.tif 000005
【図４】
2004184877.tif 000006
【図５】
2004184877.tif 000007
【図６】
2004184877.tif 000008
【図７】
2004184877.tif 000009
【図８】
2004184877.tif 000010
【図９】
2004184877.tif 000011